(57)【特許請求の範囲】
【請求項１】
マスクの表面に貼り付けて使用するアロマシールであって、
表面に図柄やマークを印刷可能な印刷媒体シールと、
前記印刷媒体シールの裏面に形成された粘着層と、
前記印刷媒体シールの裏面の前記粘着層の外周側領域に粘着された剥離紙と、
前記印刷媒体シールの裏面の前記粘着層のうち前記外周側領域の内側の中心側領域に粘着された合成樹脂製フィルムと、
前記合成樹脂製フィルムに固着されると共に水性又は油性の液体を含浸可能な不織布片と、
を有することを特徴とするアロマシール。
【請求項２】
マスクの表面に貼り付けて使用するアロマシールであって、
表面に図柄やマークを印刷可能な印刷媒体シールを複数設けた印刷媒体シートと、    
前記印刷媒体シートの裏面に形成された粘着層と、
前記印刷媒体シートの裏面の前記粘着層のうち複数の印刷媒体シールにおける複数の外周側領域の内側の複数の中心側領域以外の領域に粘着された剥離紙と、
前記印刷媒体シートの裏面の前記粘着層のうち複数の中心側領域に対応する部分に粘着された複数の合成樹脂製フィルムと、
前記複数の合成樹脂製フィルムに固着されると共に水性又は油性の液体を含浸可能な複数の不織布片と、
を有することを特徴とするアロマシール。
【請求項３】
前記印刷媒体シートにおいて各印刷媒体シールは分断線にて分断されていることを特徴とする請求項２に記載のアロマシール。
【請求項４】
前記印刷媒体シートはハガキサイズに形成されていることを特徴とする請求項２又は３に記載のアロマシール。
【発明の詳細な説明】
【技術分野】
【０００１】
本発明は、アロマシールに関し、特にマスクに取り付けて使用するアロマシールに関する。
【背景技術】
【０００２】
従来から種々のアロマシールが実用化されている。
特許文献１に記載の香りのステッカーは、離型紙、接着層、第１樹脂層、芳香剤を含浸させた不織布、接着層、第２樹脂層等を有する。離型紙を剥がして物品（自動車の窓等）の表面に貼り付け、表面から芳香を発散させる。
【０００３】
特許文献２の芳香・消臭シートは、剥離紙、粘着層、基部、成分保持層（不織布）、表層部等を有する。剥離紙を剥がして物品の表面に貼り付け、成分保持層から表層部を介して芳香を発散させる。
【０００４】
特許文献３の芳香紙は、剥離紙の表面に複数の図柄付きのラベルを粘着しておき、ラベルを剥離して物品の表面に貼り付け、ラベルの表面から芳香を発散させる。
【０００５】
特許文献４，５，６の精油含浸用シール（アロマセラピーシール）は、保護シート、粘着層、精油を含浸させた保持層を有し、保護シートを剥離して保持層を物品の表面に貼り付け、保持層の表面から芳香を発散させる。
【先行技術文献】
【特許文献】
【０００６】
【特許文献１】特開平９−１１４３７８号公報
【特許文献２】特開２００７−２４４７１４号公報
【特許文献３】実用新案登録第３０１８３５１号公報
【特許文献４】特開２０１７−１０５００９号公報
【特許文献５】実用新案登録第３２２３４０９号公報
【特許文献６】実用新案登録第３２２５９７７号公報
【発明の概要】
【発明が解決しようとする課題】
【０００７】
従来のアロマシール（精油含浸用シール）は、何れも物品の表面に貼り付けた状態にし、そのアロマシールの表面側に芳香を発散させるように構成されている。
ここで、マスクの表面に貼り付けて使用するアロマシールの場合、芳香をアロマシールの裏面側に発散させる必要がある。しかし、従来のアロマシールではその表面側へ発散させる構成であるため、本来のアロマの芳香の効果が十分に発揮されていないことが想定される。
【０００８】
また、図柄やマークを印刷した印刷媒体シールの裏面や表面に、芳香剤を含浸させる不織布片を固着する場合、不織布片に含浸させた芳香剤が印刷媒体シールに沁み出してしまい、芳香剤を所定期間保持することが難しい。
【０００９】
本発明の目的は、図柄やマークを印刷した印刷媒体シールの裏面に不織布片を設け、印刷媒体シールの裏面の一部をマスクに貼り付けて使用可能にしたアロマシールを提供することである。
【課題を解決するための手段】
【００１０】
請求項１のアロマシールは、マスクの表面に貼り付けて使用するアロマシールであって、表面に図柄やマークを印刷可能な印刷媒体シールと、前記印刷媒体シールの裏面に形成された粘着層と、前記印刷媒体シールの裏面の前記粘着層の外周側領域に粘着された剥離紙と、前記印刷媒体シールの裏面の前記粘着層のうち前記外周側領域の内側の中心側領域に粘着された合成樹脂製フィルムと、前記合成樹脂製フィルムに固着されると共に水性又は油性の液体を含浸可能な不織布片とを有することを特徴としている。
尚、水性又は油性の液体としては、芳香剤、保湿成分を含んだ美容液、制汗成分を含んだ液体等（以下、芳香剤等という）を採用することができる。
【００１１】
上記の構成によれば、印刷媒体シールの表面には図柄やマークが予め印刷され、このアロマシールをマスクの表面に貼り付けて使用する場合には、まず不織布片に芳香剤等を滴下して含浸させ、印刷媒体シールから剥離紙を剥離し、粘着層の外周側領域をマスクに粘着させることでアロマシールをマスクに貼り付けると、印刷媒体シールの裏面側にある不織布片から発散する芳香剤等の蒸発ガスがマスクの布地を透過してマスクの内部へ発散していく。
【００１２】
不織布片は粘着層に粘着された合成樹脂製フィルムに固着されているため、不織布片に含浸させた芳香剤等が印刷媒体シールの方へ沁み出ることがないから、芳香剤等の有効期間が短くなることもなく、芳香剤等が図柄やマークに悪影響を及ぼすこともない。また、不織布片の外周側はマスクに粘着されるため、芳香等の蒸発ガスが不織布片から外周側へ発散することもない。
【００１３】
請求項２のアロマシールは、マスクの表面に貼り付けて使用するアロマシールであって、表面に図柄やマークを印刷可能な印刷媒体シールを複数設けた印刷媒体シートと、前記印刷媒体シートの裏面に形成された粘着層と、前記印刷媒体シートの裏面の前記粘着層のうち複数の印刷媒体シールにおける複数の外周側領域の内側の複数の中心側領域以外の領域に粘着された剥離紙と、前記印刷媒体シートの裏面の前記粘着層のうち複数の中心側領域に対応する部分に粘着された複数の合成樹脂製フィルムと、前記複数の合成樹脂製フィルムに固着されると共に水性又は油性の液体（芳香剤等）を含浸可能な複数の不織布片とを有することを特徴としている。
【００１４】
上記の構成によれば、１枚の印刷媒体シートに請求項１と同様の複数の印刷媒体シールを配置し、複数のアロマシールを構成したもので、請求項１と同様の作用、効果を奏する。
印刷媒体シールの表面に図柄やマークを予め印刷してない形態のアロマシールの場合には、プリンターにより印刷媒体シートの表面のうち複数の印刷媒体シールに対応する部位に所望の図柄やマークを印刷することができる。
【００１５】
請求項３のアロマシールは、請求項２の発明において、前記印刷媒体シートにおいて各印刷媒体シールは分断線にて分断されていることを特徴としている。
上記の構成によれば、各印刷媒体シールは分断線にて分断されているため、各印刷媒体シールを剥離紙から簡単に剥離して使用することができる。
【００１６】
請求項４のアロマシールは、請求項２又は３の発明において、前記印刷媒体シートはハガキサイズに形成されていることを特徴としている。
上記の構成によれば、前記印刷媒体シートはハガキサイズに形成されているため、市販の印刷ソフトを用いて、複数の印刷媒体シールに種々の図柄やマークを印刷する上で有利である。
【発明の効果】
【００１７】
本発明は、上記のような種々の効果を奏する。
【図面の簡単な説明】
【００１８】
【図１】本発明の実施形態に係るアロマシールカードの表面図である。
【図２】アロマシールカードの裏面図である。
【図３】アロマシールカードの断面図である。
【図４】アロマシールカードに含まれるアロマシールの断面図である。
【発明を実施するための形態】
【００１９】
本発明の実施形態に係るアロマシールについて、図面に基づいて説明する。
図１〜図３に示すように、アロマシールカードＡＣは、ハガキサイズのものであり、
８枚のアロマシール１であって、図柄Ｄやマークが予め印刷された８枚のアロマシール１を含むものである。但し、図柄Ｄやマークを印刷してない形態のアロマシール１を購入したユーザーが所望の図柄Ｄやマークを印刷する場合もある。
【００２０】
このアロマシール１は、マスクの表面に貼り付けて使用するアロマシールである。
このアロマシール１は、表面に図柄Ｄやマークを印刷可能な円形の印刷媒体シール２を複数設けた印刷媒体シート２Ａと、印刷媒体シート２Ａの裏面の全面に形成された粘着層３と、印刷媒体シート２Ａの裏面の粘着層３のうち複数の印刷媒体シール２における複数の円環状の外周側領域４ａの内側の複数の円形の中心側領域４ｂ以外の領域に粘着された剥離紙５と、印刷媒体シート２Ａの裏面の粘着層３のうち複数の中心側領域４ｂに対応する部分に粘着された複数の合成樹脂製フィルム６と、複数の合成樹脂製フィルム６に固着されると共に水性又は油性の液体を含浸可能な複数の円形の不織布片７とを有する。
前記の水性又は油性の液体としては、芳香剤、保湿成分を含んだ美容液、制汗成分を含んだ液体等（以下、芳香剤等という）を採用することができる。
【００２１】
前記印刷媒体シート２Ａは、矩形状のハガキサイズのものであり、印刷に適した紙材（紙、合成紙、印刷可能なフィルム材等）で構成されている。
粘着層３は、一般的な粘着層の他に、繊維やフィルム等の芯材の両面に粘着層を形成した両面粘着シ―トを採用することもできる。
前記剥離紙５は、矩形状のハガキサイズのものであり、剥離紙５のうち８枚の不織布片７に対応する部位には不織布片７よりも僅かに大径の円形穴５ａが形成されている。この剥離紙５の全面が粘着層３に剥離可能に粘着されている。
【００２２】
印刷媒体シート２Ａにおいて各印刷媒体シール２は円状の分断線８にて分断されているため、アロマシール１を１枚ずつ剥離紙５から剥離して使用することができる。
前記の外周側領域４ａとは、円形穴５ａより外周側で分断線８よりも内径側の領域であり、中心側領域４ｂとは外周側領域４ａの内側の領域であって円形穴５ａの内側の領域である。
【００２３】
印刷媒体シート２Ａはハガキサイズに形成されているため、市販の印刷ソフトを用いて、複数の印刷媒体シール２に種々の図柄Ｄやマークを印刷する上で有利である。
図１に示す図柄Ｄは、例示のため１つだけ図示したが、図柄付きの実際のアロマシールカードＡＣにおいては、必要に応じて全部の印刷媒体シール２に同一の又は異なる図柄Ｄが印刷されている。
【００２４】
前記のアロマシール１の単体の構成は次のようになっている。
図１〜図３に示すように、このアロマシール１は、表面に図柄Ｄやマークを印刷可能な印刷媒体シール２と、印刷媒体シール２の裏面に形成された粘着層３と、印刷媒体シール２の裏面の粘着層３の外周側領域４ａに粘着された剥離紙５と、印刷媒体シール２の裏面の粘着層３のうち外周側領域４ａの内側の中心側領域４ｂに粘着された合成樹脂製フィルム６と、合成樹脂製フィルム６に固着されると共に前記の水性又は油性の液体（芳香剤等）を含浸可能な不織布片７とを有する。
【００２５】
上記の構成によれば、印刷媒体シール２の表面には図柄Ｄやマークを印刷可能であり、このアロマシール１をマスクの表面に貼り付けて使用する場合には、図４に示すように、アロマシール１の不織布片７に芳香剤等を含浸させてから、印刷媒体シート２Ａから剥離したこのアロマシール１をマスクの外面に押し当てて、外周側領域４ａの粘着層３をマスクに粘着させて使用する。つまり、不織布片７に芳香剤等を滴下して含浸させ、印刷媒体シール２から剥離紙５を剥離し、粘着層３の外周側領域４ａをマスクに粘着させることでアロマシール１をマスクに貼り付けると、印刷媒体シール２の裏面側にある不織布片７から発散する芳香剤等の蒸発ガスがマスクの布地を透過してマスクの内部へ発散していく。
【００２６】
このように、不織布片７に含浸している芳香剤等が不織布片７から蒸発又は発散し、マスクの布地を透過して口や鼻の周辺に芳香剤等の蒸発ガスを放出するため、芳香剤等のアロマ効果や美容効果や保湿効果を十分に発揮させることができる。
不織布片７は粘着層３に粘着された合成樹脂製フィルム６に固着されているため、不織布片７に含浸させた芳香剤等が印刷媒体シール２の方へ沁み出ることがないから、芳香剤等の有効期間が短くなることもなく、芳香剤等が図柄Ｄやマークに悪影響を及ぼすこともない。また、不織布片７の外周側はマスクに粘着されるため、芳香剤等の蒸発ガスが不織布片７から外周側へ発散することもない。
【００２７】
次に前記の実施形態を変形する例について説明する。
（１）アロマシール１の形状は円形の場合を例として説明したが、アロマシール１の形状は円形に限るものではなく、正方形、三角形、楕円形、その他種々の形状を採用することができる。
【００２８】
（２）アロマシールカードＡＣに８つのアロマシール１を配置したが、８つに限るものではなく、種々の数（例えば、６つ、５つ、４つ等々）のアロマシール１を配置することができる。また、アロマシールカードＡＣのサイズはハガキサイズに限定されるものではなく、Ａ４サイズやその他の種々のサイズ等も採用可能である。
【００２９】
（３）不織布片７について、マスクに触れることで不織布片７に含浸させた液体がマスク側へ沁みていくことが想定されるため、不織布片７の表面のみに撥水又は撥油処理、若しくは同効果が期待できるフィルム等を積層したものを採用することもできる。
【００３０】
（４）不織布片７から発散する芳香剤等の蒸発ガスの一部を、外部へ発散させるように構成してもよい。  この場合、例えば外周側領域４ａの半分又は２／３だけをマスクに粘着させる構造とする。或いは、不織布片７の外周と円形穴５ａの間において印刷媒体シール２に１又は複数の微小孔を形成する。
【００３１】
（５）その他、当業者ならば、本発明の趣旨を逸脱しない範囲で前記実施形態に種々の変更を付加した形態で実施可能であり、本発明はその種の変更形態も包含するものである。
【符号の説明】
【００３２】
ＡＣ    アロマシールカード
１      アロマシール
２      印刷媒体シール
２Ａ    印刷媒体シート
３      粘着層
４ａ    外周側領域
４ｂ    中心側領域
５      剥離紙
６      合成樹脂製フィルム
７      不織布片
８      分断線
【要約】
【課題】図柄やマークを印刷した印刷媒体シールの裏面に不織布片を設け、印刷媒体シールの裏面の一部をマスクに貼り付けて使用可能にしたアロマシールを提供する。
【解決手段】マスクの表面に貼り付けて使用するアロマシール(1)は、表面に図柄やマークを印刷可能な印刷媒体シール(2)と、印刷媒体シール(2)の裏面に形成された粘着層(3)と、印刷媒体シール(2)の裏面の粘着層(3)の外周側領域(4a)に粘着された剥離紙(5)と、印刷媒体シール(2)の裏面の粘着層(3)のうち外周側領域(4a)の内側の中心側領域(4b)に粘着された合成樹脂製のフィルム(6)と、合成樹脂製フィルム(6)に固着されると共に水性又は油性の液体（芳香剤等）を含浸可能な不織布片(7)とを有する。
【選択図】図３【図１】
0006987418.tif 000002
【図２】
0006987418.tif 000003
【図３】
0006987418.tif 000004
【図４】
0006987418.tif 000005